(57)【要約】【課題】無線通信によりユーザーの矯正履歴を取得可能にする足矯正サービスシステムを提供する。【解決手段】ベースに圧力検出ユニット３と処理ユニット４とが設けられていることにより、ベースがユーザーに踏まれている間、ユーザーの足裏の形を矯正していく時、圧力検出ユニット３によって該足裏の圧力を検出して圧力感知信号を生成し、処理ユニット４によって該圧力感知信号を圧力値に変換して該圧力値を送信することができる。送信された圧力値によってユーザーの矯正履歴ファイルを自動的に呼び出したりユーザーに関する矯正履歴を取得したりすることができるので、サービスの品質を向上させることができる。【選択図】図２
0003193889.tif 000002
【実用新案登録請求の範囲】
【請求項１】
ユーザーの足裏に踏まれて前記ユーザーの足を矯正するためのベースと、
前記ベースの１つの表面に設けられ、前記ベースが前記ユーザーに踏まれたときに圧力検知信号を生成する圧力検出ユニットと、
前記ベースに設けられた処理ユニットと
を備えており、
前記処理ユニットは、
前記圧力検出ユニットに信号的に接続され、前記圧力検出ユニットから生成された前記圧力検知信号に基づいて圧力値を算出して取得するデータ処理モジュールと、
前記データ処理モジュールに信号的に接続され、前記データ処理モジュールからの前記圧力値を無線通信を介して送信する無線通信モジュールと
を有することを特徴とする足矯正サービスシステム。
【請求項２】
前記ベースは、前記ユーザーの足裏に対向する矯正面と、該矯正面と背中合わせの取付面と、該取付面より窪んで設けられた少なくとも１つの取付穴と
を有し、
前記処理ユニットが前記取付穴に設けられていることを特徴とする請求項１に記載の足矯正サービスシステム。
【請求項３】
前記圧力検出ユニットは、前記ベースが前記ユーザーに踏まれたときに前記圧力検知信号を生成するように前記取付面に設けられている圧力感知部材を有することを特徴とする請求項２に記載の足矯正サービスシステム。
【請求項４】
前記ベースは、誘電体材料からつくられ、
前記圧力検出ユニットは、前記矯正面に互いに配列配置された複数本の第１の導電線と、前記取付面に配列配置された複数本の第２の導電線とを有することを特徴とする請求項２に記載の足矯正サービスシステム。
【請求項５】
前記圧力値を受信するように前記無線通信モジュールに信号的に接続されている第１の通信モジュールと、前記第１の通信モジュールから前記圧力値を受信して表示するように前記第１の通信モジュールに信号的に接続された出力モジュールとを有する監視制御ユニットを更に備えていることを特徴とする請求項１に記載の足矯正サービスシステム。
【請求項６】
前記監視制御ユニットに信号的に接続された遠隔サービスユニットを更に有し、
前記遠隔サービスユニットは、
前記ユーザーの足矯正履歴を入力するための入力モジュールと、
前記足矯正履歴を格納して足矯正履歴ファイルを生成するように、前記入力モジュールに信号的に接続されたファイル記憶モジュールと、
前記第１の通信モジュールから前記圧力値を受信するように、前記第１の通信モジュールに信号的に接続された第２の通信モジュールと、
前記第２の通信モジュールからの前記圧力値を前記足矯正履歴ファイルに蓄積・更新するように、前記ファイル記憶モジュール及び前記第２の通信モジュールに信号的に接続されたマイクロ処理モジュールと
を有することを特徴とする請求項５に記載の足矯正サービスシステム。
【請求項７】
前記処理ユニットは、前記ユーザーの身元に関する識別情報を格納する無線自動識別モジュールを更に有し、
前記第２の通信モジュールは、前記無線自動識別モジュールから前記識別情報を更に受信し、
前記マイクロ処理モジュールは、前記識別情報に基づいて、前記ファイル記憶モジュールから、前記ユーザーに応じた前記足矯正履歴ファイルを更に引き出すことを特徴とする請求項６に記載の足矯正サービスシステム。
【請求項８】
前記遠隔サービスユニットは、前記マイクロ処理モジュールに駆動されて前記足矯正履歴ファイルを表示するように、前記マイクロ処理モジュールに信号的に接続された表示モジュールを更に有することを特徴とする請求項７に記載の足矯正サービスシステム。
【請求項９】
前記ユーザーの足に踏まれて該足の圧力を計測して足圧計測情報として取得する携帯型圧力計測ユニットを更に有し、
前記第１の通信モジュールは、前記足圧計測情報を受信又は送信するように前記携帯型圧力計測ユニットに信号的に接続され、
前記第２の通信モジュールは、前記第１の通信モジュールを介して前記携帯型圧力計測ユニットからの前記足圧計測情報を更に受信し、
前記マイクロ処理モジュールは、前記第２の通信モジュールから前記足圧計測情報を更に受信して前記足矯正履歴ファイルに蓄積・更新することを特徴とする請求項６に記載の足矯正サービスシステム。
【請求項１０】
前記監視制御ユニットは、
前記第１の通信モジュールからの前記圧力値に対して分析・処理を行い、前記圧力値に応じて基準足圧値を生成するように、前記第１の通信モジュールに信号的に接続された足圧分析処理モジュールと、
前記圧力値が前記基準足圧値よりも予め定めた範囲を超えるかどうかを判定し、前記圧力値が前記基準足圧値よりも予め定めた範囲を超えたと判定した場合、警告信号を生成して発するように、前記第１の通信モジュール、前記足圧分析処理モジュール及び前記出力モジュールに信号的に接続された演算処理モジュールと
を更に有し、
前記出力モジュールは、前記演算処理モジュールから送信された前記警告信号によって駆動され前記警告信号に応じた警告メッセージを生成して出力することを特徴とする請求項５に記載の足矯正サービスシステム。
【考案の詳細な説明】
【技術分野】
【０００１】
本考案は、矯正サービスシステムに関し、より詳しくは、足の矯正のために矯正情報を提供する足矯正サービスシステムに関する。
【背景技術】
【０００２】
人の足の骨は、筋で強く結合しており、足の内側で脛骨から伸びる三角靭帯で支えられながら、足弓と言われるアーチ（土踏まず）を形成して、地面から伝わってくる振動を吸収・緩和・分散しながら、身体に対し適当な支持及びバランスを保っている。先天性及び後天性にかかわらず、足裏のアーチが少ない扁平足、逆に多すぎるハイアーチの人の場合には、土踏まずが適度に形成されている人に比べ、身体の重心の移動などの調節が難しくなるため、歩いたり立ちっぱなしでは疲れやすく、また、身体の重心が脚や腰、膝に集中するため、脚のむくみや、腰痛、背骨を通じての体の歪みなど種々の症状を引き起こす問題点がある。そこで、足の形を矯正して歩行改善、運動能力の向上、美容のために、足裏の土踏まずに相当する部分に土踏まずに沿うように人工的に作られた足矯正装置が従来から用いられている。足の構造や歩行の習慣は人によって異なるため、足矯正装置は、メーカーで、ユーザーの身長、体重、年齢、フットプリントなどのデータと共にユーザーの足裏の形状に合わせて製造される。なお、フットプリントとは、プリント用紙の上にインクで謄写されたものであり、フットプリントの形状から、足裏にかかる圧力（及びその分布）、指先、アーチなどの状態を読み取ることができる（例えば特許文献１には「土踏まず矯正装置付靴セット及び該土踏まず矯正装置付靴セットを装着した時の靴内部の足裏バランス取りの微調整法」が開示されている）。
【先行技術文献】
【特許文献】
【０００３】
【特許文献１】台湾特許出願番号第０９８１３７１００号明細書
【考案の概要】
【考案が解決しようとする課題】
【０００４】
土踏まず矯正装置によって足裏の姿勢を正確に矯正する効果を確かめて、矯正された姿勢に合わせて更に土踏まず矯正装置を調整するために、ユーザーは定期的にメーカーにて足裏圧力の検出を行い、足裏圧力の検出結果に基づいて足矯正装置を微調整する作業を行わなければならない。
【０００５】
本考案は、無線通信によりユーザーの矯正履歴を取得可能にする足矯正サービスシステムを提供することを目的とする。
【課題を解決するための手段】
【０００６】
上記目的を達成するために、本考案に係る足矯正サービスシステムは、ユーザーの足裏に踏まれて前記ユーザーの足を矯正するためのベースと、前記ベースの１つの表面に設けられ、前記ベースが前記ユーザーに踏まれたときに圧力検知信号を生成する圧力検出ユニットと、前記ベースに設けられた処理ユニットとを備えており、前記処理ユニットは、前記圧力検出ユニットに信号的に接続され、前記圧力検出ユニットから生成された前記圧力検知信号に基づいて圧力値を算出して取得するデータ処理モジュールと、前記データ処理モジュールに信号的に接続され、前記データ処理モジュールからの前記圧力値を無線通信を介して送信する無線通信モジュールとを有することを特徴とする。
【考案の効果】
【０００７】
本考案に係る足矯正サービスシステムによれば、ベースがユーザーに踏まれている間、ユーザーの足裏の形を矯正していく時、圧力検出ユニットによって該足裏の圧力を検出して圧力感知信号を生成し、データ処理モジュールによって該圧力感知信号を圧力値に変換し、無線通信モジュールによって該圧力値を送信することができる。送信された圧力値によってユーザーの矯正履歴ファイルを自動的に呼び出したりユーザーに関する矯正履歴を取得したりすることができるので、サービスの品質を向上させることができる。
【図面の簡単な説明】
【０００８】
【図１】本考案に係る足矯正サービスシステムの第１実施形態を概略的に示す斜視図である。
【図２】図１の構成の一部を示すブロック図である。
【図３】図１の構成の一部を示すブロック図である。
【図４】図１の構成の一部を示すブロック図である。
【図５】図１の構成の一部を概略的に示す組立図である。
【図６】本考案に係る足矯正サービスシステムの第２実施形態を概略的に示す分解図である。
【図７】図６の組立断面図である。
【図８】本考案に係る足矯正サービスシステムの第３実施形態の一部を概略的に示す図である。
【図９】図８の一部を概略的に示す図である。
【図１０】図７に類似する図８の組立断面図である。
【考案を実施するための形態】
【０００９】
以下、図面を参照して、本考案についていくつかの実施の形態をもって具体的に説明する。
【００１０】
（第１実施形態）
図１〜図５には、本考案に係る足矯正サービスシステムの第１実施形態を概略的に示している。本考案に係る足矯正サービスシステムは、概ね、ベース２と、圧力検出ユニット３と、処理ユニット４と、監視制御ユニット５と、遠隔サービスユニット６と、携帯型圧力計測ユニット７とを備えている。
【００１１】
ベース２は、ユーザーの足に踏まれてユーザーの足を矯正するためのものであって、例えば中敷きとして設けられ、ユーザーの足裏に対向する凹凸状に形成された矯正面２１と、該矯正面２１と背中合わせの取付面２２と、該取付面２２より窪んで設けられた複数の取付穴２３と、該取付穴２３と連通するように該取付面２２より窪んで設けられたスロット２４とを有する。ベース２は、実施するときに、ユーザーが靴を履くと、ユーザーの足に当接して踏まれるように、靴中に敷かれる（図示せず）中敷きの形として構成され、靴を履くことで足を矯正可能にするものである。なお、ベース２は、足裏を矯正するように凹凸状に形成されており、ベース２の構造は、一般的な矯正構成であるため、その詳細な説明を省略する。
【００１２】
圧力検出ユニット３は、ベース２の１つの表面に設けられ、互いに隔てて取付面２２に設けられた複数の圧力感知部材３１を有し、ベース２がユーザーに踏まれたときに圧力検知信号を生成する。この第１実施形態では、圧力感知部材３１は、例えば抵抗式や容量式の圧力センサーであるが、これに限らず、圧力を計測するものであればよい。なお、靴内は着用中に湿度が高くなるので、製品信頼性の向上のために、圧力感知部材３１に防水防湿のためのパッケージが施されている。
【００１３】
処理ユニット４は、ベース２、例えば取付穴２３に設けられ、圧力感知部材３１に信号的に接続されているデータ処理モジュール４１と、データ処理モジュール４１に信号的に接続されているメモリモジュール４２と、データ処理モジュール４１に信号的に接続されている無線通信モジュール４３と、ユーザーの身元に関する識別情報を格納する無線自動識別モジュール４４とを有する。
【００１４】
本実施形態では、データ処理モジュール４１は、スロット２４に設けられた複数本の導電線４０を介して圧力感知部材３１に信号的に接続されている。無線通信モジュール４３は、例えばＷＩ−ＦＩ通信モジュールであってもよいが、無線通信可能なものであれば、これに制限されない。無線自動識別モジュール４４は、例えば無線自動識別（ＲＦＩＤ）タグである。なお、靴内に装着するために、製品信頼性の向上のために、処理ユニット４に防水防湿のためのパッケージが施される必要がある。
【００１５】
監視制御ユニット５は、無線通信モジュール４３に信号的に接続されている第１の通信モジュール５１と、第１の通信モジュール５１と信号的に接続されている足圧分析処理モジュール５２と、第１の通信モジュール５１及び足圧分析処理モジュール５２に信号的に接続された演算処理モジュール５３と、演算処理モジュール５３に信号的に接続された出力モジュール５４とを有する。
【００１６】
監視制御ユニット５は、例えばスマートフォン、タブレット型コンピュータなどの携帯可能な機器であってもよく、ユーザーの家の中のパーソナルコンピュータ（ＰＣ）であってもよく、演算処理及びネットワークを介した通信が可能な機器であればよい。出力モジュール５４は、情報を表示するスクリーン、又は音声を出力するスピーカなどである。
【００１７】
遠隔サービスユニット６は、例えばＰＣ又はサーバーであり、ユーザーの足矯正履歴を入力するための入力モジュール６１と、入力モジュール６１に信号的に接続されたファイル記憶モジュール６２と、第１の通信モジュール５１又は無線通信モジュール４３に信号的に接続された第２の通信モジュール６３と、ファイル記憶モジュール６２及び第２の通信モジュール６３に信号的に接続されたマイクロ処理モジュール６４と、マイクロ処理モジュール６４に信号的に接続された表示モジュール６５とを有する。
【００１８】
携帯型圧力計測ユニット７は、第１の通信モジュール５１に無線又は有線通信可能に信号的に接続されている。
【００１９】
以上のように構成された足矯正サービスシステムの動作及び作用について添付図面を参照して説明する。
【００２０】
図４と図５に示すように、まず、メーカー側のサービスセンターにてユーザーの足裏の形を計測して足型データが取得され、その足型データをもってユーザーの名前、性別、身長、体重又は年齢等を含む個人識別情報と共に足裏に関する矯正履歴が作成され、矯正履歴が入力モジュール６１によって入力されてファイル記憶モジュール６２に保存される。これによって、ユーザーの矯正履歴に応じた矯正履歴ファイルが生成される。
【００２１】
次に、携帯型圧力計測ユニット７がユーザーに踏まれると、ユーザーの足の圧力が計測されて足圧計測情報として取得される。携帯型圧力計測ユニット７は計測した足圧計測情報をユーザー側又はメーカー側の監視制御ユニット５に有線通信又は無線通信によって送信する。第１の通信モジュール５１は、携帯型圧力計測ユニット７からの足圧計測情報を、第２の通信モジュール６３に送信する。マイクロ処理モジュール６４によって第２の通信モジュール６３からの足圧計測情報を、足裏の矯正履歴として、矯正履歴ファイルに蓄積・更新する。なお、最初に計測された足圧計測情報は、ベース２を作成するにあたっての参照情報として用いられる。
【００２２】
図２と図５に示すように、ベース２がユーザーに踏まれると、それぞれの圧力感知部材３１によって足圧の変化を検出して圧力検知信号を生成する。データ処理モジュール４１は、圧力感知部材３１から生成された圧力検知信号に基づいて圧力値を算出し、その圧力値を無線通信モジュール４３によって無線通信を介して送信するか、メモリモジュール４２に格納する。
【００２３】
なお、監視制御ユニット５には、例えばメーカーによるソフトウェア又はＡＰＰをインストールすることが可能であり、ユーザーは、現在の足圧に関する矯正状態を知りたいとき、第１の通信モジュール５１に無線通信モジュール４３からの圧力値が送信され、演算処理モジュール５３を介して、出力モジュール５４に該圧力値を表示駆動する。
【００２４】
そして、足圧分析処理モジュール５２は、第１の通信モジュール５１からの圧力値を分析・処理し、当該圧力値に応じて基準足圧値を生成する。基準足圧値とは、例えばユーザーの数日間の複数回にわたって生成された圧力値の平均の値であり、検出された圧力値が基準足圧値よりも予め定めた範囲を超えた場合、足圧が異常であることを示す通知メッセージを例えば音声による警告信号として生成して送出する。このようにして、ユーザーにその足圧に異常があったことを警告して知らせることができる。
【００２５】
また、第１の通信モジュール５１は、圧力値をネットワーク通信を介して、第２の通信モジュール６３に送信し、マイクロ処理モジュール６４によって第２の通信モジュール６３に送信された圧力値を格納して矯正履歴ファイルに蓄積して更新する。これによって、メーカー側はユーザーの最新の矯正状況が得られる。
【００２６】
図３〜図５に示すように、ベース２は靴の中に敷かれて、ユーザーが毎日靴を履くだけで、踏まれている間、ユーザーの足裏の形を矯正していくことができる。ユーザーが定期的にメーカーのサービスセンターにて足裏の形を計測することにより、ユーザーの足裏に関する矯正状態を知ることができる。ユーザーの毎回の矯正状態を記録・蓄積することによって、ユーザーの足裏に関する矯正履歴を取得することができる。そして、メーカー側は、足裏の計測結果に応じて、矯正されたユーザーの足裏の形に合わせてベース２の構造的な微調整を行う。これによって、身体を健康に整えることができる。
【００２７】
なお、無線自動識別モジュール４４に格納された識別情報は、例えばユーザーの名前、性別、身長、体重又は年齢を含むものであるが、これに制限されない。また、無線自動識別モジュール４４は、識別情報が身長、体重又は年齢の変化によって更新できるように、読み取り及び書き込みが可能なものであることが好ましい。
【００２８】
例えばメーカー側のサービスセンターにおいて、サービスセンターに設置された遠隔サービスユニット６にベース２を近づけると、図３に示されているように、第２の通信モジュール６３によって無線自動識別モジュール４４から識別情報が読み取られ、マイクロ処理モジュール６４に送信される。マイクロ処理モジュール６４は、読み取られた識別情報に基づいて、ファイル記憶モジュール６２により該ユーザーに応じた矯正履歴ファイルが読み出され、表示モジュール６５に表示される。なお、読み出された矯正履歴ファイルには既に最新の矯正情報が蓄積されているので、ベース２の調整をする参照情報として用いられる。
【００２９】
また、ベース２を調整・作成する前に、ユーザーに新たに携帯型圧力計測ユニット７が踏まれることによって携帯型圧力計測ユニット７によった新たな足圧計測情報が生成される。新たに生成された足圧計測情報を矯正履歴ファイルに格納された最新の圧力値と比較して予め定めた範囲を超えたかどうかを調べる。これによって、複数の圧力感知部材３１におけるある圧力感知部材３１の不具合による圧力値の計測の正確性への影響を防止することができる。また、ベース２の調整・作成を更に正確に行うことができ、ベース２に配置された回路の不具合を検出することができる。
【００３０】
以上のように構成された足矯正サービスシステムは、圧力検出ユニット３と処理ユニット４がベース２に設けられていることから、ベース２がユーザーに踏まれている間、ユーザーの足裏の形を矯正していく時、圧力検出ユニット３によって該足裏の圧力を検出して圧力感知信号を生成し、データ処理モジュール４１によって該圧力感知信号を圧力値に変換し、無線通信モジュール４３によって該圧力値を送信することができる。送信された圧力値によってユーザーの矯正履歴ファイルを自動的に呼び出したりユーザーに関する矯正履歴を取得したりすることができるので、サービスの品質を向上させることができる。
【００３１】
また、監視制御ユニット５は、ユーザーによって足裏の圧力の変化を監視することができるので、ユーザーにとっては自分の足に応じた矯正状況をいつでも知ることができ、足裏の形が矯正されていることを実感することができる。
【００３２】
また、足裏に対応する圧力値に異常が検出された場合、監視制御ユニット５によって足圧が異常である通知メッセージを例えば音などを発する警告信号として生成して送出する。これによって、足裏に応じた足圧状況を随時監視することができる。
【００３３】
また、遠隔サービスユニット６は、圧力値を連続的に蓄積・更新することができるので、ユーザーの現在の矯正状況をメーカー側が取得することができると共に、ベース２の調整・作成の際、ユーザーの矯正履歴ファイルをすぐに自動的に読み取ることができるので、メーカー側のサービスの品質を向上させることができる。
【００３４】
また、携帯型圧力計測ユニット７によって計測された足圧計測情報を、ベース２の調整・作成前の参照情報とすることができ、矯正していくときにベース２の微調整の参照情報とすることもできる。また、例えば計測された現在の圧力値を数回に亘って計測されて得られた足圧計測情報の平均値と照らし合わせることによって圧力検出ユニット３の不具合を検出することができる。
【００３５】
（第２実施形態）
図６、図７には、本考案に係る足矯正サービスシステムの第２実施形態を概略的に示している。本実施形態に係る足矯正サービスシステムは、第１実施形態と異なるところは、圧力検出ユニット３の構成にある。
【００３６】
圧力検出ユニット３は、ベース２の取付面２２に接着された一枚の圧力感知部材３１を有する。この実施形態では、圧力感知部材３１は例えば抵抗式や容量式の圧力センサーである。圧力感知部材３１がユーザーの足に踏まれたとき、圧力感知部材３１における容量又は抵抗値を変化させ、容量又は抵抗値の変化に応じた圧力検知信号を生成することにより、ユーザーのベース２を踏んだ時の足裏の圧力を計測・取得することができる。
【００３７】
圧力検出ユニット３は、図６、図７に示すように、必要に応じて、圧力感知部材３１の取付面２２と接着した面に配列された複数本の第１の導電線３２と、圧力感知部材３１の取付面２２と接着した面と逆の面に配列された複数本の第２の導電線３３とを更に有する。第１の導電線３２及び第２の導電線３３は、それらに計測された電気信号をそれぞれ出力するように、取付面２２に設けられた差込座３４と、圧力感知部材３１の取付面２２と接着した面に設けられた受け座３５を介して処理ユニット４に電気的に接続されている。
【００３８】
この実施形態に係る足矯正サービスシステムは、第１実施形態に係る足矯正サービスシステムと同様な効果を得ることができる。
【００３９】
（第３実施形態）
図８〜図１０には、本考案に係る足矯正サービスシステムの第３実施形態を概略的に示している。本実施形態に係る足矯正サービスシステムは、第１実施形態と異なるところは、ベース２と圧力検出ユニット３との構成にある。
【００４０】
ベース２は、例えば誘電体材料からつくられるとよく、例えばチタン酸バリウム（ＢａＴｉＯ３）、チタン酸ストロンチウムバリウム（ＢａＳｒＴｉＯ３）、チタン酸ストロンチウム（ＳｒＴｉＯ３）等の高誘電率材料、温度安定性を持つセラミックコンデンサ材料（ＮＰＯ）、又はこれらの組み合わせからつくられると、高い容量を得ることができるので、好ましい。
【００４１】
ベース２には、互いに所定の間隔をおいて並列するように矯正面２１より窪んで設けられた複数の横溝２５と、該横溝２５とほぼ直角に交わると共に互いに所定の間隔をおいて並列するように取付面２２より窪んで設けられた複数の縦溝２６とを有する。
【００４２】
圧力検出ユニット３は、横溝２５内に配置された第１の導電線３２と、縦溝２６内に配置された第２の導電線３３とを有する。
【００４３】
第１の導電線３２と第２の導電線３３及びベース２とによってコンデンサタイプの圧力センサーとして構成することができるので、ベース２が踏まれると容量を変化させることができる。これによって、足裏の圧力を計測することができる。
【００４４】
なお、ベース２に横溝２５及び縦溝２６を形成して第１の導電線３２と第２の導電線３３とをそれぞれ横溝２５及び縦溝２６に配置しているが、第１の導電線３２と第２の導電線３３とを直接取付面２２に接着しても、容量の変化による圧力値を得ることができるので、横溝２５及び縦溝２６を形成しなくてもよい。
【００４５】
なお、ベース２はまた、矯正面２１と取付面２２とを連通するようにベース２を貫通して設けられた通孔（図示せず）を有し、通孔に取付けられた導電線によって第１の導電線３２と第２の導電線３３とに電気的に接続されることも可能である。
【００４６】
本考案は、上述の実施形態に限定されるものではなく、当業者の知識に基づいて各種の設計変更等の変形を加えることも可能である。各図に示す構成は、一例を説明するためのものであり、同様な機能を達成できる構成であれば、適宜変更可能である。
【産業上の利用可能性】
【００４７】
本考案に係る足矯正サービスシステムは、靴やサンダル、スリッパなどの中敷きとして適し、体重を支持する足のバランスを保つことができるように健康に役立つ効果を有する。
【符号の説明】
【００４８】
２  ベース
２１  矯正面
２２  取付面
２３  取付穴
２４  スロット
２５  横溝
２６  縦溝
３  圧力検出ユニット
３１  圧力感知部材
３２  第１の導電線
３３  第２の導電線
３４  差込座
３５  受け座
４  処理ユニット
４１  データ処理モジュール
４２  メモリモジュール
４３  無線通信モジュール
４４  無線自動識別モジュール
５  監視制御ユニット
５１  第１の通信モジュール
５２  足圧分析処理モジュール
５３  演算処理モジュール
５４  出力モジュール
６  遠隔サービスユニット
６１  入力モジュール
６２  ファイル記憶モジュール
６３  第２の通信モジュール
６４  マイクロ処理モジュール
６５  表示モジュール
７  携帯型圧力計測ユニット
【図１】
0003193889.tif 000003
【図２】
0003193889.tif 000004
【図３】
0003193889.tif 000005
【図４】
0003193889.tif 000006
【図５】
0003193889.tif 000007
【図６】
0003193889.tif 000008
【図７】
0003193889.tif 000009
【図８】
0003193889.tif 000010
【図９】
0003193889.tif 000011
【図１０】
0003193889.tif 000012